(57)【要約】【課題】高い強度を有するレーザー光を出力することができる共振器長の調整を確実に行うことができるレーザー光発生装置、これに用いられる制御装置および制御方法を提供すること。【解決手段】レーザー光発生装置は、光源部と、共振器部と、駆動部と、検出器と、誤差信号生成部と、制御部とを具備する。前記誤差信号生成部は、前記検出器による検出信号に基づき、共振条件からの共振器長の誤差を示す誤差信号を生成するように構成される。前記制御部は、サーチ信号を生成してこれを前記駆動部に入力することで、前記共振器部による共振条件を満たす、前記検出信号の適切値をサーチするように構成される。また、前記制御部は、前記適切値に対応する前記サーチ信号のバイアス値を駆動部に入力した状態で、前記誤差信号に基づき、サーボ制御を実行するように構成される。【選択図】図５
2016184651.tif 000002
【特許請求の範囲】
【請求項１】
パルスレーザー光を発生する光源部と、
前記パルスレーザー光を共振させる共振器部と、
前記共振器部の共振器長を変位させる駆動部と、
前記共振器部からの反射光を検出する検出器とを備えるレーザー光発生装置の制御装置であって、
前記検出器による検出信号に基づき、前記共振条件からの前記共振器長の誤差を示す誤差信号を生成するように構成された誤差信号生成部と、
サーチ信号を生成してこれを前記駆動部に入力することで、前記共振器部による共振条件を満たす、前記検出信号の適切値をサーチするように構成され、前記適切値に対応する前記サーチ信号のバイアス値を駆動部に入力した状態で、前記誤差信号に基づき、サーボ制御を実行するように構成された制御部と
を具備する制御装置。
【請求項２】
請求項１に記載の制御装置であって、
前記制御部は、前記サーチ信号の振幅より小さい振幅を有するサーボ信号を生成してこれを前記駆動部に入力することで、前記サーボ制御を実行するように構成される
制御装置。
【請求項３】
請求項１に記載の制御装置であって、
前記制御部は、前記検出信号が閾値を超えたと判定した場合、前記サーボ制御を解除するように構成され、その解除後、前記適切値に対応する前記バイアス値を前記駆動部に入力して前記サーボ制御を実行するように構成される
制御装置。
【請求項４】
請求項１に記載の制御装置であって、
前記光源部は、第１共振器を有し、
前記共振器部は、前記第１共振器から出力された前記パルスレーザー光が入力される第２共振器と、前記パルスレーザー光の波長を変換可能な非線形光学素子とを有し、前記波長変換されて前記第２共振器から出力される光を出力光として出力する
制御装置。
【請求項５】
パルスレーザー光を発生する光源部と、
前記パルスレーザー光を共振させる共振器部と、
前記共振器部の共振器長を変位させる駆動部と、
前記共振器部からの反射光を検出する検出器と、
前記検出器による検出信号に基づき、前記共振条件からの前記共振器長の誤差を示す誤差信号を生成するように構成された誤差信号生成部と、
サーチ信号を生成してこれを前記駆動部に入力することで、前記共振器部による共振条件を満たす、前記検出信号の適切値をサーチするように構成され、前記適切値に対応する前記サーチ信号のバイアス値を駆動部に入力した状態で、前記誤差信号に基づき、サーボ制御を実行するように構成された制御部と
を具備するレーザー光発生装置。
【請求項６】
パルスレーザー光を発生する光源部と、
前記パルスレーザー光を共振させる共振器部と、
前記共振器部の共振器長を変位させる駆動部と、
前記共振器部からの反射光を検出する検出器とを備えるレーザー光発生装置の制御方法であって、
前記検出器による検出信号に基づき、前記共振条件からの前記共振器長の誤差を示す誤差信号を生成し、
サーチ信号を生成してこれを前記駆動部に入力することで、前記共振器部による共振条件を満たす、前記検出信号の適切値をサーチし、
前記適切値に対応する前記サーチ信号のバイアス値を駆動部に入力した状態で、前記誤差信号に基づき、サーボ制御を実行する
制御方法。
【発明の詳細な説明】
【技術分野】
【０００１】
本技術は、レーザー光発生装置、その光源の共振器長を制御する制御装置および制御方法に関する。
【背景技術】
【０００２】
共振器内に非線形光学素子を配して、共振器内部の高いパワー密度を利用して効率よく当該非線形光学素子による波長変換を行うようにしたレーザー光発生装置が提案されている。
【０００３】
このようなレーザー光発生装置に用いられる共振器では、例えば、当該共振器を構成する少なくとも一対の対向するミラー間に非線形光学素子を配し、この共振器に基本波レーザー光を入射させて、当該レーザー光を非線形素子に通過させる。このとき、ミラー間の距離（即ち、共振器内の光路長）が、入射したレーザー光の整数倍となるように制御されることで、当該レーザー光が共振器内で共振してレーザー発振が生じる。
【０００４】
例えば、特許文献１には、上記に示したような共振器を用いたレーザー光発生装置の一例が開示されている。特許文献１に係るレーザー光発生装置は、共振器を構成するミラーの位置を光軸方向に移動できるように構成し、当該共振器の入射レーザー光に対する共振器長のずれに比例した誤差信号に基づき、当該ミラーの位置をサーボ制御している。このような構成とすることで、特許文献１に係るレーザー光発生装置では、入射したレーザー光が共振器内で共振する条件を満たすように当該共振器の光路長が自動制御され、共振器の入射レーザー光に対する共振動作が安定化する。
【先行技術文献】
【特許文献】
【０００５】
【特許文献１】特開平6-53593号公報
【発明の概要】
【発明が解決しようとする課題】
【０００６】
レーザー光発生装置において、光源がパルスレーザー光を発生する場合、外部共振器を利用してレーザー光を出力する技術がある。このようなパルスレーザー光を用いる技術では、できるだけ高い強度を有するレーザー光を出力し、また、それを実現するための共振器長の調整を確実に行うことが要求される。
【０００７】
本技術の目的は、高い強度を有するレーザー光を出力することができる共振器長の調整を確実に行うことができるレーザー光発生装置、これに用いられる制御装置および制御方法を提供することにある。
【課題を解決するための手段】
【０００８】
上記目的を達成するため、本技術に係る制御装置は、光源部と、共振器部と、駆動部と、検出器とを備えるレーザー光発生装置の制御装置であって、誤差信号生成部と、制御部とを具備する。
前記光源部は、パルスレーザー光を発生する。
前記共振器部は、前記パルスレーザー光を共振させる。
前記駆動部は、前記共振器部の共振器長を変位させる。
前記検出器は、前記共振器部からの反射光を検出する。
前記誤差信号生成部は、前記検出器による検出信号に基づき、前記共振条件からの前記共振器長の誤差を示す誤差信号を生成するように構成される。
前記制御部は、サーチ信号を生成してこれを前記駆動部に入力することで、前記共振器部による共振条件を満たす、前記検出信号の適切値をサーチするように構成される。また、前記制御部は、前記適切値に対応する前記サーチ信号のバイアス値を駆動部に入力した状態で、前記誤差信号に基づき、サーボ制御を実行するように構成される。
このように、検出器の検出信号の適切値がサーチされ、その適切値に対応するサーチ信号のバイアス値を駆動部に入力した状態で、サーボ制御が実行される。したがって、この制御装置は、確実に共振器長の調整を行うことができ、かつ、高い強度を有するレーザー光を出力することができる。
【０００９】
前記制御部は、前記サーチ信号の振幅より小さい振幅を有するサーボ信号を生成してこれを前記駆動部に入力することで、前記サーボ制御を実行するように構成されていてもよい。
【００１０】
前記制御部は、前記検出信号が閾値を超えたと判定した場合、前記サーボ制御を解除するように構成され、その解除後、前記適切値に対応する前記バイアス値を前記駆動部に入力して前記サーボ制御を実行するように構成されていてもよい。
これにより、レーザー光発生装置に衝撃等が加わえられた場合等、検出信号が閾値を超えた場合には、制御部は、一旦、サーボ制御を解除し、再度、適切値のサーチおよびサーボ制御を実行することができる。
【００１１】
前記光源部は、第１共振器を有していてもよい。前記共振器部は、前記第１共振器から出力された前記パルスレーザー光が入力される第２共振器と、前記パルスレーザー光の波長を変換可能な非線形光学素子とを有し、前記波長変換されて前記第２共振器から出力される光を出力光として出力してもよい。
すなわち、第１共振部は光源からの光を共振させる外部共振器として機能する。また、第２共振器からの出力光とは別の光である、共振器部からの反射光（漏れ光）が検出器で検出される。
【００１２】
本技術に係るレーザー光発生装置は、上記した光源部、共振器部、駆動部、検出器、および制御装置を備える。
【００１３】
本技術に係るレーザー光発生装置の制御方法は、上記レーザー光発生装置の制御方法であって、前記検出器による検出信号に基づき、前記共振条件からの前記共振器長の誤差を示す誤差信号を生成することを含む。
サーチ信号を生成してこれを前記駆動部に入力することで、前記共振器部による共振条件を満たす、前記検出信号の適切値がサーチされる。
前記適切値に対応する前記サーチ信号のバイアス値を駆動部に入力した状態で、前記誤差信号に基づき、サーボ制御が実行される。
【発明の効果】
【００１４】
以上、本技術によれば、高い強度を有するレーザー光を出力することができる共振器長の調整を確実に行うことができる。
なお、ここに記載された効果は必ずしも限定されるものではなく、本開示中に記載されたいずれかの効果であってもよい。
【図面の簡単な説明】
【００１５】
【図１】図１は、本技術の実施形態に係るレーザー光発生装置の概略的な構成の一例を示したブロック図である。
【図２】図２は、マルチモード発振するレーザー光源を用いた場合のサーボの引き込みについて説明するための説明図である。
【図３】図３は、比較例に係る制御部の機能構成の一例を示したブロック図である。
【図４】図４は、比較例に係る制御部によるサーボの引き込み動作の一例について説明するための説明図である。
【図５】図５は、本実施形態に係る制御装置の構成を主に示すブロック図である。
【図６】図６は、制御部の動作を説明するための説明図である。
【図７】図７は、制御部の動作を示すフローチャートである。
【図８】図８は、サーチ処理を示すフローチャートである。
【図９】図９は、最適点への移動およびサーボ引き込み処理を示すフローチャートである。
【図１０】図１０は、サーチバイアス値と検出信号のボトム値とを関連付けるテーブルを示す。
【図１１】図１１は、本技術の他の実施形態に係る、制御装置の処理を示すフローチャートである。
【発明を実施するための形態】
【００１６】
以下、本技術に係る実施形態を、図面を参照しながら説明する。
【００１７】
１．レーザー光発生装置
【００１８】
１．１）レーザー光発生装置の構成
【００１９】
図１は、本技術の実施形態に係るレーザー光発生装置の概略的な構成の一例を示した構成図である。
【００２０】
図１に示すように、本実施形態に係るレーザー光発生装置１は、発振器１１と、光源部５０と、ミラー５０１および５０３と、共振器部２０と、アイソレーター４０と、光検出器４１と、駆動部３０と、制御部１０とを含む。
【００２１】
光源部５０は、ＭＬＬＤ（Mode Locked Laser Diode）部５６、アイソレーター５２、光増幅器５４、およびドライバ５３を含む。
【００２２】
ＭＬＬＤ部５６は、ＬＤ（レーザーダイオード）５６２および回折格子５６４を含む。ＬＤ５６２は、例えば縦マルチモードによる発振を行うＬＤが用いられる。ＬＤ５６２と回折格子５６４との間に図示しないレンズ系が設けられる場合もある。
【００２３】
ＭＬＬＤ部５６では、ＬＤ５６２が持つ後端面ミラーと回折格子５６４との間に共振器（空間共振器（第１共振器））が構成される。この共振器の光路長Ｌｃにより当該レーザー光の周波数が決定される。すなわち、この共振器は外部共振器として機能する。
【００２４】
アイソレーター５２は、ＭＬＬＤ部５６と光増幅器５４との間に設けられ、ＭＬＬＤ部５６からのレーザー光を光増幅器５４に向けて透過させる。また、アイソレーター５２は、光増幅器５４からの反射光（漏れ光）を遮断することで、当該反射光がＭＬＬＤ部５６に入射すことを防止している。
【００２５】
光増幅器５４は、光パワーを増幅する機能を有する。また、この光増幅器５４は、例えばＳＯＡ（Semiconductor Optical Amplifier）で構成される。
【００２６】
ドライバ５３は、光増幅器５４を駆動する機能を有する。具体的には、ドライバ５３は、発振器１１から供給される所定周波数（例えば１０MHz）の変調信号を受け、その周波数を持つ駆動信号を光増幅器５４に入力することで、光増幅器５４をその周波数で間欠駆動する。これにより、光増幅器５４は、その周波数を持つパルスレーザー光（レーザー光Ｌ１）を外部に出力する。
【００２７】
ＭＬＬＤ部５６およびＳＯＡ型の光増幅器５４により、ＭＯＰＡ（Master Oscillator Power Amplifier）型の光源が構成される。
【００２８】
光源部５０の構成は、あくまで一例であり、上記に示した構成には必ずしも限定されない。例えば、光源部５０は、ＭＬＬＤ部５６や光増幅器５４を備えず、例えば半導体レーザーおよび位相変調器を有し、位相変調器がドライバにより間欠駆動されることで、パルスレーザー光が生成されてもよい。
【００２９】
光源部５０から出射されたレーザー光Ｌ１は、ミラー５０１および５０３を経てアイソレーター４０に導光され、アイソレーター４０を透過し、インプットカプラー２０１から共振器部２０の内部に入射する。なお、光源部５０から出射されたレーザー光Ｌ１を、アイソレーター４０を経て共振器部２０の内部に導光させることが可能であれば、光路中に配置される光学系の構成は、ミラー５０１および５０３には限定されないことは言うまでもない。
【００３０】
アイソレーター４０は、光源部５０と共振器部２０との間に介在し、光源部５０からのレーザー光Ｌ１を共振器部２０に向けて透過させる。また、アイソレーター４０は、共振器部２０からの反射光（漏れ光）Ｌ３を、光源部５０とは異なる方向に配置された光検出器４１に向けて反射させることで、当該反射光Ｌ３が光源部５０に入射することを防止している。
【００３１】
光検出器４１は、例えばＰＤ（Photo Diode）からなる。光検出器４１は、アイソレーター４０を経て導光された共振器部２０からの反射光Ｌ３を検出する。なお、光検出器４１により検出された反射光Ｌ３は、後述する制御部１０により同期検波される。
【００３２】
第２共振器として機能する共振器部２０は、いわゆる、光パラメトリック発振器（ＯＰＯ：Optical Parametric Oscillator）であり、光源部５０からのレーザー光Ｌ１を内部で共振させるとともに、当該レーザー光Ｌ１の波長を変換し、波長が変換されたレーザー光Ｌ２を出力光として出力する。以下に、共振器部２０の詳細な構成について説明する。なお、以降では、共振器部２０に入射するレーザー光Ｌ１を「励起レーザー光」と呼び、波長が変換されて共振器部２０から出力されるレーザー光を「ＯＰＯレーザー光」と呼ぶ場合がある。
【００３３】
共振器部２０は、インプットカプラー２０１と、ミラー２０３、２０５、および２０７と、ダイクロイックミラー２０９と、アウトプットカプラー２１１と、非線形光学素子２１３とを含む。インプットカプラー２０１およびアウトプットカプラー２１１は、一般的には、数％の透過率を有するパーシャルリフレクター（部分反射鏡）である。
【００３４】
また、ミラー２０３とミラー２０５との間には、非線形光学素子２１３が配されている。
【００３５】
非線形光学素子２１３は、例えば、ＫＴＰ（ＫＴｉＯＰＯ４）、ＬＮ（ＬｉＮｂＯ３）、ＱＰＭＬＮ（疑似位相整合ＬＮ）、ＢＢＯ（β−ＢａＢ２Ｏ４）、ＬＢＯ（ＬｉＢ３Ｏ４）、ＫＮ（ＫＮｂＯ３）等が用いられる。
【００３６】
非線形光学素子２１３は、一例として、入力されたレーザー光（すなわち、励起レーザー光Ｌ１）を２つの波長に変換する。そして、変換した２つの波長のうち、少なくとも一方の波長（例えば、長波長）のレーザー光が、ＯＰＯレーザー光Ｌ２として、共振器部２０内で共振し、アウトプットカプラー２１１から共振器部２０の外部に出力されることとなる。ＯＰＯレーザー光Ｌ２は、例えば赤外帯域の波長を持つ光である。
【００３７】
非線形光学素子２１３は、複数種類設けられていてもよい。この場合、ユーザが希望する出力光（の波長）に応じて、それらのうち１つが選択されるように、それら複数の非線形光学素子が切り替え可能に構成されていてもよい。
【００３８】
また、インプットカプラー２０１と、ミラー２０３との間にはダイクロイックミラー２０９が配されている。ダイクロイックミラー２０９は、ミラー２０３によりインプットカプラー２０１に向けて反射された光のうち、励起レーザー光Ｌ１をインプットカプラー２０１に向けて透過させ、ＯＰＯレーザー光Ｌ２をアウトプットカプラー２１１に向けて反射させる。このような構成により、励起レーザー光Ｌ１と、ＯＰＯレーザー光Ｌ２とが異なる光路を経て共振器部２０内を導光される。以下に、共振器部２０内における励起レーザー光Ｌ１およびＯＰＯレーザー光Ｌ２の光路の詳細について、それぞれ説明する。
【００３９】
まず、励起レーザー光Ｌ１の光路に着目する。インプットカプラー２０１から共振器部２０内に入射した励起レーザー光Ｌ１は、ダイクロイックミラー２０９を透過し、ミラー２０３、非線形光学素子２１３、およびミラー２０５を経て、ミラー２０７に到達し、当該ミラー２０７で反射される。
【００４０】
また、ミラー２０７で反射された励起レーザー光Ｌ１は、ミラー２０５、非線形光学素子２１３、およびミラー２０３を経て、ダイクロイックミラー２０９に導光され、当該ダイクロイックミラー２０９を透過し、インプットカプラー２０１に導光される。
【００４１】
インプットカプラー２０１は、導光された励起レーザー光Ｌ１の一部を反射させるとともに、他の一部を共振器部２０の外部に出射させる。このように、共振器部２０内に入射した励起レーザー光Ｌ１は、インプットカプラー２０１と、ミラー２０７との間で反射を繰り返す。すなわち、インプットカプラー２０１と、ミラー２０７との間の光路が、共振器部２０内における励起レーザー光Ｌ１の光路長（換言すると、共振器長）に相当し、当該光路長を励起レーザー光Ｌ１の共振条件に合わせて調整することで、励起レーザー光Ｌ１が共振器部２０内で共振することとなる。
【００４２】
また、インプットカプラー２０１から共振器部２０の外部に出射された励起レーザー光は、共振器部２０からの反射光として、アイソレーター４０により光検出器４１に向けて導光され、当該光検出器４１で検出される。
【００４３】
次に、ＯＰＯレーザー光Ｌ２の光路に着目する。非線形光学素子２１３で波長変換された励起レーザー光Ｌ１、すなわち、ＯＰＯレーザー光Ｌ２は、ミラー２０５を経てミラー２０７に到達し、当該ミラー２０７で反射される。
【００４４】
また、ミラー２０７で反射されたＯＰＯレーザー光Ｌ２は、ミラー２０５、非線形光学素子２１３、およびミラー２０３を経て、ダイクロイックミラー２０９に導光され、当該ダイクロイックミラー２０９で反射されて、アウトプットカプラー２１１に導光される。
【００４５】
アウトプットカプラー２１１は、導光されたＯＰＯレーザー光Ｌ２の一部を反射させるとともに、他の一部を共振器部２０の外部に出射させる。このように、共振器部２０内に入射したＯＰＯレーザー光Ｌ２は、アウトプットカプラー２１１と、ミラー２０７との間で反射を繰り返す。すなわち、アウトプットカプラー２１１と、ミラー２０７との間の光路が、共振器部２０内におけるＯＰＯレーザー光Ｌ２の光路長（換言すると、共振器長）に相当し、当該光路長をＯＰＯレーザー光Ｌ２の共振条件に合わせて調整することで、ＯＰＯレーザー光Ｌ２が共振器部２０内で共振することとなる。
【００４６】
１．２）共振器部の光路長の調整
【００４７】
次に、共振器部２０内における、励起レーザー光Ｌ１およびＯＰＯレーザー光Ｌ２それぞれの光路長の調整について説明する。
【００４８】
駆動部３０は、共振器部２０の共振器長を変位させる機能を有する。駆動部３０は、例えば、電磁アクチュエーター（例えばＶＣＭ：Voice Coil Motor）や、圧電素子構成等のようなアクチュエーターデバイスからなる。なお、以降の説明では、駆動部３０として電磁アクチュエーターを用いるものとして説明する。
【００４９】
本実施形態に係る共振器部２０では、ミラー２０７は、駆動部３０に駆動されることで、当該ミラー２０７に入射する励起レーザー光Ｌ１およびＯＰＯレーザー光Ｌ２の光軸方向に沿って位置を調整可能に構成されている。同様に、アウトプットカプラー２１１は、駆動部３０に駆動されることで、当該アウトプットカプラー２１１に入射するＯＰＯレーザー光Ｌ２の光軸方向に沿って位置を調整可能に構成されている。
【００５０】
ミラー２０７の位置が調整されることで、主に励起レーザー光Ｌ１の光路長が調整される。また、アウトプットカプラー２１１の位置が調整されることで、ＯＰＯレーザー光Ｌ２の光路長が調整される。すなわち、励起レーザー光Ｌ１の共振条件を満たすようにミラー２０７の位置が調整され、次いで、ＯＰＯレーザー光Ｌ２の共振条件を満たすようにアウトプットカプラー２１１の位置が調整されるようにすればよい。
【００５１】
後述するように、本明細書では、ミラー２０７の位置調整により励起レーザー光Ｌ１の光路長が制御される形態を主に説明する。したがって、図１では、光検出器としては、ＯＰＯレーザー光Ｌ２を検出する光検出器を図示せず、アイソレーター４０から分離された、励起レーザー光Ｌ１の戻り光である反射光Ｌ３を検出する光検出器４１のみを図示している。
【００５２】
なお、ＯＰＯレーザー光Ｌ２を検出する光検出器は、ミラー２０７から透過するＯＰＯレーザー光Ｌ２の一部の光を検出するように、配置および構成されている。この場合、ミラー２０７は上述したパーシャルリフレクターが用いられる。
【００５３】
駆動部３０は、制御部１０による制御（すなわち、制御部１０から供給される制御信号）に基づき、ミラー２０７およびアウトプットカプラー２１１の位置を調整する。なお、ミラー２０７およびアウトプットカプラー２１１それぞれに対して、個々に駆動部３０を設ける構成としてもよいことは言うまでもない。
【００５４】
制御部１０は、駆動部３０の動作を制御することで、ミラー２０７およびアウトプットカプラー２１１の位置を制御する。これにより、制御部１０は、共振器部２０内における励起レーザー光Ｌ１およびＯＰＯレーザー光Ｌ２それぞれの光路長を制御する。そして、励起レーザー光Ｌ１について着目すると、制御部１０は、共振器部２０内における励起レーザー光Ｌ１の光路長が、当該励起レーザー光Ｌ１の共振条件を満たすように、サーボ制御を実行する。
【００５５】
具体的には、制御部１０は、光検出器４１で検出された、共振器部２０からの反射光Ｌ３を、発振器１１から供給される周波数ｆｍの信号に基づき、サンプル・アンド・ホールドにより同期検波することで検出信号を得る。
【００５６】
制御部１０は、取得した検出信号に基づき、共振器部２０内における励起レーザー光Ｌ１の光路長と、当該励起レーザー光Ｌ１の共振条件を満たす光路長との間のずれを示す誤差信号を、例えば、ＰＤＨ（Pound-Drever-Hall）法により生成する。なお、当該誤差信号を生成できれば、その方法はＰＤＨ法に限定されないことは言うまでもない。
【００５７】
そして、制御部１０は、生成した誤差信号を、励起レーザー光Ｌ１の光路長のサーボ制御を実行するための引き込み信号として使用し、当該励起レーザー光Ｌ１の光路長のサーボ制御を実行する。具体的には、制御部１０は、生成した誤差信号に基づき、駆動部３０を制御するための駆動信号を生成し、当該駆動信号により駆動部３０にミラー２０７の位置を調整させることで、当該励起レーザー光Ｌ１の光路長をサーボ制御する。
【００５８】
なお、制御部１０は、例えば、ＢＰＵ（Basic Processing Unit）やＣＰＵ（Central Processing Unit）等のハードウェアを備える。また、制御部１０は、上記に示した制御を行うためのデータやプログラムを記録するための、ＲＡＭ（Random Access Memory）やＲＯＭ（Read Only Memory）のようなストレージを備えてもよい。制御部１０は、ＢＰＵ、ＣＰＵに代えて、または、これに加えて、ＤＳＰ（Digital Signal Processor）、ＰＬＤ(Programmable Logic Device)等のデバイスを備えていてもよい。
【００５９】
なお、制御部１０による、共振器部２０内における励起レーザー光Ｌ１の光路長の制御（すなわち、ミラー２０７の位置の制御）に係る動作の詳細については、別途後述する。
【００６０】
以上、図１を参照しながら、本実施形態に係るレーザー光発生装置１の構成について説明した。なお、制御部１０および駆動部３０は、レーザー光発生装置１の外部の構成として、当該レーザー光発生装置１に外付けする構成としてもよい。
【００６１】
１．３）サーボの引き込み
次に、本実施形態に係るレーザー光発生装置１の制御部１０の詳細について説明するにあたり、まず、図２を参照しながら、レーザー光源５１として、半導体レーザーのようにマルチモード発振するものを用いた場合のサーボの引き込みについて概要を説明する。図２は、マルチモード発振するレーザー光源を用いた場合のサーボの引き込みについて説明するための説明図である。
【００６２】
サーボの「引き込み」とは、サーボ制御を実行しサーボの「定常状態（安定状態）」を得るまでの動作を意味する。すなわち、「サーボ制御」とは、引き込み動作を行うことによりサーボの定常状態を得、サーボの定常状態を継続させる制御である。
【００６３】
図２において、参照符号ｇ１１は、ミラー２０７の位置を示しており、当該ミラー２０７の位置に応じて、共振器部２０内における励起レーザー光Ｌ１の光路長が決定される。また、参照符号ｇ２１は、参照符号ｇ１１で示したミラー２０７の各位置に対応して得られる検出信号（換言すると、反射光Ｌ３のレベルを示す信号）を示している。また、参照符号ｇ３１は、検出信号ｇ２１に基づく誤差信号を示している。
【００６４】
共振器部２０内における励起レーザー光Ｌ１の光路長が、当該励起レーザー光Ｌ１の共振条件を満たした場合、すなわち、当該光路長が励起レーザー光Ｌ１の波長の整数倍となった場合に、共振器部２０からの反射光のレベル（強度）は低下する。そのため、マルチモード発振するレーザー光源（パルス波も連続波も両方含む）を用いた場合には、図２に示すように、反射光のレベルが低下するミラー２０７の位置、すなわち、モード（光路長）が複数存在し、各モードそれぞれに対して誤差信号が生成されることになる。
【００６５】
これら複数のモードの存在が、反射光Ｌ３のレベルとして下向きの複数のパルス状に対応して現れる。反射光レベルが低いモードほど共振器部２０からの漏れ光が少ないため、より出力の高いＯＰＯレーザー光Ｌ２を得ることができる。
【００６６】
図２に示すように、励起レーザー光Ｌ１がパルス波であるため、共振器部２０内を周回したパルスが時間軸上で重なり合う必要がある。このため、各モードに対応した反射光のレベルは、モードに応じて異なる傾向にある。上記のように、図２に範囲ｇ１３で示したように、反射光Ｌ３のレベルが低いモードほど共振器部２０からの漏れ光が少ない。したがって、反射光Ｌ３のレベルが低いモードになるように（適切値になるように）、ミラー２０７の位置を調整することが、より望ましいこととなる。
【００６７】
なお、励起レーザー光がパルス波ではなく、連続波である場合、図２と同様に繰り返しの下向きのパルス状の反射レベルの信号が得られるが、ミラー位置の全域にわたって、この反射レベルの各最小値がほぼ一定となる。つまり、連続波では、最適値となる数がミラー位置の全域にわたって存在するため、その分、パルス波に比べ制御がしやすいということになる。
【００６８】
２．比較例に係る制御部
【００６９】
２．１）制御部の構成および動作
【００７０】
次に、これまで説明したレーザー光発生装置の制御部を比較例として、当該比較例に係る制御部によるサーボの引き込み動作について説明することで、本実施形態に係るレーザー光発生装置１の課題について整理する。
【００７１】
比較例に係る制御部１０ｗの構成およびその動作について、図３および４を参照しながら説明する。図３は、比較例に係る制御部１０ｗの機能構成の一例を示したブロック図である。
【００７２】
なお、図４における参照符号ｇ１１、ｇ２１、ｇ３１、およびｇ１３は、図２における、ミラー２０７の位置ｇ１１、検出信号ｇ２１、誤差信号ｇ３１、および反射光Ｌ３の検出信号が最も低くなる範囲ｇ１３にそれぞれ対応している。
【００７３】
図３に示すように、比較例に係る制御部１０ｗは、誤差信号生成部１０１と、レベル検出部１０３および１０５と、サーボ制御部１０７と、スイッチ１０９と、位相補償部１１１と、ＶＣＭドライバ１１３とを含む。
【００７４】
誤差信号生成部１０１は、光検出器４１で検出された共振器部２０からの反射光Ｌ３を、発振器１１から供給される周波数ｆｍの信号に基づき、サンプル・アンド・ホールドにより同期検波することで検出信号を得る。誤差信号生成部１０１は、取得した検出信号に基づき、共振器部２０内における励起レーザー光Ｌ１の光路長と、当該励起レーザー光Ｌ１の共振条件を満たす光路長との間のずれを示す誤差信号を生成して、これを出力する。
【００７５】
なお、誤差信号の生成には、例えば、上述のようにＰＤＨ法を用いるとよい。具体的な一例として、レーザー光源５１から出射されるレーザー光の周波数をｆｃ、当該レーザー光の変調周波数をｆｍとした場合には、位相変調器５２による位相変調によりサイドバンドｆｃ±ｆｍが立てられる。誤差信号生成部１０１は、供給された反射光Ｌ３について、周波数ｆｃ、ｆｃ±ｆｍのビートを検出することで誤算信号を得る。
【００７６】
以上のようにして、誤差信号生成部１０１は、反射光Ｌ３を同期検波することで得られる検出信号に基づき誤差信号を生成し、生成した誤差信号を、レベル検出部１０５とスイッチ１０９とに逐次出力する。
【００７７】
レベル検出部１０３は、共振器部２０からの反射光Ｌ３の検出信号を、光検出器４１から所定のサンプリングレート（例えば、発振器１１から供給される周波数ｆｍ）で逐次取得する。なお、レベル検出部１０３は、発振器１１から供給される周波数ｆｍの信号に基づき、サンプル・アンド・ホールドにより同期検波された検出信号を、反射光Ｌ３の検出信号として取得してもよい。
【００７８】
レベル検出部１０３は、取得した検出信号に基づき、反射光Ｌ３のレベルを検出する。このとき、検出される反射光Ｌ３のレベルは、図２に示すように、ミラー位置の移動に伴い、共振器部２０内における励起レーザー光Ｌ１の光路長が、当該励起レーザー光Ｌ１の共振条件を満たすか否かに応じて変化する。レベル検出部１０３は、検出された反射光Ｌ３のレベルが閾値ｇ２５を下回った場合に、レベルの検出結果を示す信号ｇ４１をサーボ制御部１０７に出力する。
【００７９】
閾値ｇ２５は、光源部５０から出力されるレーザー光Ｌ１の出力や、共振器部２０の特性に応じてあらかじめ決められている。具体的な一例として、あらかじめ実験等により、共振器部２０からの反射光Ｌ３のレベルを測定しておくことで、測定結果で得られた反射光Ｌ３の最小値に基づき、閾値ｇ２５が決定されればよい。
【００８０】
レベル検出部１０５は、誤差信号生成部１０１から、生成された誤差信号を逐次取得する。そして、レベル検出部１０５は、取得した誤差信号のゼロクロスレベルを検出し、当該ゼロクロスレベルの検出タイミングに基づき、各モードに応じた共振器部２０の共振器長（すなわち、共振器部２０内における励起レーザー光Ｌ１の光路長）のサーボ制御を開始するタイミングを示す生成したサーボトリガーパルスｇ５１を生成する。レベル検出部１０５は、生成したサーボトリガーパルスｇ５１をサーボ制御部１０７に逐次出力する。
【００８１】
サーボ制御部１０７は、レベル検出部１０５からサーボトリガーパルスを逐次取得する。そして、サーボ制御部１０７は、レベル検出部１０３から反射光Ｌ３のレベルの検出結果を示す信号ｇ４１を取得すると、当該信号を取得したタイミングで供給されたサーボトリガーパルス内で、レベルの検出結果を示す信号ｇ４１に対応する、サーボの開始を示すサーボオン信号ｇ６１をスイッチ１０９に供給する。すなわち、サーボ制御部１０７は、サーボトリガーパルスｇ５１を発生している間に、レベル検出結果を示す信号ｇ４１を受けている場合に、サーボオン信号ｇ６１を出力する。
【００８２】
スイッチ１０９は、前段に設けられた誤差信号生成部１０１と、後段に設けられた位相補償部１１１との間の接続関係を、サーボ制御部１０７から供給される信号に基づき切り替え可能に構成されている。具体的には、スイッチ１０９は、サーボ制御部１０７からサーボの開始を示す信号が供給されると、オン状態となり、誤差信号生成部１０１と位相補償部１１１との間を接続させる。これにより、誤差信号生成部１０１から出力された誤差信号が位相補償部１１１に供給される。
【００８３】
位相補償部１１１は、スイッチ１０９がオン状態となることで、誤差信号生成部１０１から誤差信号の供給を受ける。位相補償部１１１は、誤差信号生成部１０１からの誤差信号の位相を補償し、位相が補償された誤差信号をＶＣＭドライバ１１３に供給する。
【００８４】
ＶＣＭドライバ１１３は、位相補償部１１１から供給される誤差信号に基づき、駆動部３０を駆動することで、サーボの引き込み（すなわち、ミラー２０７の位置の調整）を行う。すなわち、駆動部３０により、図４の参照符号ｇ１５に示すように、共振器部２０内における励起レーザー光Ｌ１の光路長が、サーボが開始されたタイミングに対応するモードとなるようにミラー２０７の位置が調整される。
【００８５】
また、ＶＣＭドライバ１１３による、励起レーザー光Ｌ１の光路長のサーボ制御に伴い、共振器部２０のモードがロックされるため、図４の参照符号ｇ２３に示すように、反射光Ｌ３のレベルは一定となり、参照符号ｇ３３に示すように誤差信号も安定化する。
【００８６】
２．２）比較例に係るサーボの引き込み動作の課題
【００８７】
一方で、反射光Ｌ３のレベルと閾値ｇ２５との比較に基づきサーボの引き込みを行うタイミングを特定する場合には、サーボの引き込みを確実に行うために、閾値ｇ２５が、事前の測定により得られた反射光Ｌ３の最小値よりも高い値に設定される場合が少なくない。
【００８８】
そのため、比較例に係る制御部１０ｗのように、反射光Ｌ３のレベルと閾値ｇ２５との比較に基づきサーボの引き込みを行う場合には、レーザー光発生装置を動作させるモードが、反射光Ｌ３のレベルが最小となるモードｇ２７と乖離している場合が少なくない。すなわち、比較例に係る制御部１０ｗを適用したレーザー光発生装置は、反射光Ｌ３のレベルが最小となるモードｇ２７、すなわち、ＯＰＯレーザー光Ｌ２の出力が最大となるモードで動作していない場合があり、レーザー光源の性能を十分に活かしきれない場合がある。
【００８９】
そこで、本実施形態に係るレーザー光発生装置では、できるだけ高い強度を有するレーザー光を得ることが可能なモード、すなわち、共振器部２０からの反射光（漏れ光）が最小となるモードで共振するような共振器長を確実に得ることを目的とする。以降では、本実施形態に係るレーザー光発生装置１について、特に制御部１０の構成に着目して説明する。
【００９０】
３．本実施形態に係る制御装置
【００９１】
３．１）制御装置の構成
【００９２】
図５は、本実施形態に係る制御装置の構成を主に示すブロック図である。これ以降の説明では、図３、４に示した比較例に係る制御部の構成において、実質的に同様の要素については同一の符号を付し、その説明を簡略化または省略し、異なる点を中心に説明する。
【００９３】
制御部１０は、図３で示した比較例に係る制御部１０ｗと同様に、レベル検出部１０４と、サーボ制御部１０８と、位相補償部１１１と、スイッチ１０９とを有する。また、制御部１０は、ＡＤ変換器１３、１４、低域通過フィルタ１２、ＤＡ変換器１５、および増幅器１６などの要素を有する。制御装置は、制御部１０および誤差信号生成部１０１を含むものである。
【００９４】
誤差信号生成部１０１は、比較例と同様に、光検出器４１で得られた検出信号を、発振器１１からの発振周波数ｆｍの信号に基づく同期検波により取得し、この検出信号に基づき例えばＰＤＨ法により誤差信号を生成してこれを出力する。なお、発振器１１からの信号の位相は位相調整器１８により調整される。
【００９５】
誤差信号生成部１０１で生成された誤差信号は、低域通過フィルタ１２を介してＡＤ変換器１３に入力されてデジタル値に変換される。デジタル値に変換された誤差信号は、位相補償部１１１に入力されてその位相が補償される。なお、位相補償部１１１は、比較例と同様に、スイッチ１０９の後段に設けられていてもよい。
【００９６】
レベル検出部１０４は、比較例と同様に、光検出器４１からの検出信号を、所定のサンプリングレート（例えば、発振器１１から供給される周波数ｆｍ）で逐次取得する。レベル検出部１０４は、取得した検出信号に基づき、反射光Ｌ３（図１参照）のレベルを検出する。このとき、検出される反射光Ｌ３のレベルは、図２に示すように、ミラー位置の移動に伴い、共振器部２０内における励起レーザー光Ｌ１の光路長が、当該励起レーザー光Ｌ１の共振条件を満たすか否かに応じて変化する。レベル検出部１０４は、検出された反射光Ｌ３のレベルが、後述するように閾値Ｔｈ１（図６参照）を下回った場合に、レベルの検出結果を示す信号（図６参照の参照符号ｇ４１に相当）をサーボ制御部１０８に出力する。
【００９７】
制御部１０は、また、信号発生源１０２、増幅器１７、サーチバイアス重畳部１１０、およびサーボバイアス重畳部１２０を有する。
【００９８】
信号発生源１０２は、三角波やのこぎり波等の往復の波形信号（ここでは電流信号）を生成し、これを駆動部３０に入力するように構成される。増幅器１７は、この波形信号を増幅する。
【００９９】
サーチバイアス重畳部１１０は、後述するように設定されたサーチバイアス（ここでは電流値）を、信号発生源１０２からの波形信号に重畳することにより、サーチ信号を生成する機能を有する。サーボバイアス重畳部１２０は、後述するように設定されたサーボバイアスを、信号発生源１０２からの波形信号に重畳することにより、サーボ信号を生成する機能を有する。
【０１００】
サーボバイアス値は、後述するように、サーチ処理でサーチされた、ミラー位置の適切点（本実施形態では最適点）に対応する値である。
【０１０１】
サーボ制御部１０８は、上記サーチ処理により決定されたバイアス値（検出信号の適切値、特に最適値に対応するバイアス値）をサーボバイアス値として、誤差信号生成部１０１で生成された誤差信号に基づき、サーボ制御を実行するように構成される。
【０１０２】
３．２）制御部の動作
【０１０３】
以上のように構成された制御部１０の動作を説明する。図６は、その制御部１０の動作を説明するための各種の信号を示す。なお、図６において、レベル検出結果を示す信号、誤差信号、およびサーボトリガーパルスのそれぞれの信号形態およびタイミングは、図４におけるそれらと同様であるので、それらの図示を省略している。図７は、制御部１０の動作を示すフローチャートである。
【０１０４】
制御部１０は、サーチ処理において、上述したように反射光Ｌ３のレベル、つまり光検出器４１による検出信号のレベルができるだけ低い値となる適切値（本実施形態では最も低い値である最適値）をサーチする（ステップ１０１）。図８は、このサーチ処理を示すフローチャートである。
【０１０５】
図８に示した処理のうち、ステップ２０１〜２０４は、サーチ処理のための前処理（内部処理）である。制御部１０は、サーチゲイン（例えば８bit）を設定し（ステップ２０１）、また、サーチ時間（例えば８bit）を設定する（ステップ２０２）。
【０１０６】
サーチゲインは、サーチのためのゲインであり、この設定により、ミラーの移動範囲（つまり、サーチ範囲）が設定される。サーチ範囲は、例えば図６において参照符号ｇ２２に示す検出信号において、各モードをほぼすべて含むような範囲（実質的な全範囲）である。あるいは、その範囲は、その全範囲より短い範囲であって、少なくとも全範囲の１／２を超えるものであってもよい。１／２より広い範囲であれば、検出信号の最適値(最低値)を含むモードをサーチ範囲に含めることができるからである。サーチ時間は、サーチする間の時間幅である。サーチゲインおよびサーチ時間の設定により、駆動部３０によるミラーの移動速度が設定される。
【０１０７】
サーチオンスイッチが入力されると（ステップ２０３）、制御部１０は、各レジスタ値を初期する。サーチゲインの設定およびサーチ時間の設定は、例えばユーザの操作により予め設定され、また、これらの値はユーザによりカスタマイズ可能とされる。また、サーチオンスイッチは、典型的にはユーザの操作により入力される。
【０１０８】
ステップ２０４の後、制御部１０は、サーチ信号を発生させる。具体的には、所定のバイアス値に、信号発生源１０２からの三角波信号を重畳する（ステップ２０５）。サーチ信号は、駆動部３０に入力され(ステップ２０６)、駆動部３０はそのサーチ信号を駆動信号としてミラーを移動させる。図６において参照符号ｇ１２は、三角波に沿って移動するミラー位置を示す。
【０１０９】
制御部１０は、このミラーの移動の間、検出信号の各モードのそれぞれボトム値をメモリに記録していく。図６では、それらボトム値を丸で囲んで表している。図１０は、例えばそのメモリに記録されるテーブルを示す。ここでは、制御部１０は、それらボトム値を、サーチ信号の各バイアス値（つまりこれらはミラー位置に対応）に関連付けて記録していく。
【０１１０】
制御部１０は、設定されたサーチゲインに対応する範囲でミラーを移動させた後、連続してサーチするか否か、つまり複数回続けてサーチするか否の判定処理を行う（ステップ２０７）。例えば２回サーチする場合、三角波の往復（１周期）の範囲で、サーチが行われる。
【０１１１】
制御部１０は、メモリに記録された検出信号の各モードのボトム値のうち、最適値、すなわち最小値を検出する（ステップ２０８）。そうすると、制御部１０は、そのレジスタ値を更新し（ステップ２０９）、それに対応するバイアス値であるバイアス最適値を更新し、設定する（ステップ２１０、２１１）。このバイアス最適値は、後述するようにサーボバイアスとして利用される。
【０１１２】
図７を参照して、ステップ２１１の後、例えばユーザの操作によりサーボオンスイッチが入力されると（ステップ１０２）、制御部１０は、最適点への移動およびサーボ引き込み処理を実行する（ステップ１０３）。最適点とは、バイアス最適値に対応するミラーの位置である。
【０１１３】
なお、サーボオンスイッチは無くてもよく、制御部１０は、ステップ１０１の終了から所定時間経過後に、当該サーボオンスイッチの入力と同じ処理を実行するように構成されていてもよい
【０１１４】
図９は、最適点への移動およびサーボ引き込み処理を示すフローチャートである。図９に示す処理の原理は、基本的には、ステップ１０１のサーチ処理の原理と同様である。制御部１０は、例えば引き込み振幅（例えば４bit）および引き込み時間（例えば４bit）を設定する（ステップ３０１および３０２）。引き込み振幅とは、引き込み信号（サーボバイアスに重畳される往復波形、例えば三角波やのこぎり波の信号）の振幅である。引き込み時間は、引き込み処理の間の時間幅である。これら引き込み振幅および引き込み時間は、上記サーチ振幅およびサーチ時間より、小さい振幅および小さい時間としてそれぞれ設定される。これらの値は、予めユーザの操作により設定され、カスタマイズ可能とされる。
【０１１５】
ステップ１０１の終了時点で、ミラー位置は、参照符号ｇ１４で示すようにミラーの移動範囲の端にある。制御部１０は、サーボバイアスを、ステップ２１１で設定されたサーチ処理時の最適値に設定する（ステップ３０３）。制御部１０は、サーボバイアス重畳部１２０にて、サーボバイアス値であるバイアス最適値に、信号発生源１０２からの三角波信号を重畳する（ステップ３０４）。なお、このとき、サーチバイアスの重畳は解除されている。
【０１１６】
この重畳された信号であるサーボ信号が、駆動部３０に入力され(ステップ３０５)、駆動部３０はそのサーボ信号を駆動信号としてミラーを移動させる。ステップ３０３〜３０５により、ミラーは、参照符号ｄ１４で示す位置から参照符号ｇ１６を経る移動経路をたどる。すなわち、制御部１０は、サーチ処理時に決定されたバイアス最適値をサーボバイアスとして駆動部３０に入力した状態で、サーボ制御を実行する。
【０１１７】
なお、図６において、周期Ｔｗで示す三角状（途中から破線で示す）ミラーの移動経路が、サーボバイアスに重畳される三角波信号に対応する。
【０１１８】
図７を参照して、サーボ信号を駆動信号としてミラーが参照符号ｇ１６で示す最適点を通り、三角波信号によりさらにミラーが移動すると、参照符号ｇ２４で示すような検出信号が得られる。図６では、最適点ｇ１６に対応する検出信号は、もちろん最適値となっているが、参照符号ｇ２４で示す検出信号の例は、その最適値から一端最大となって最適点へ向かう例を表している。
【０１１９】
ステップ１０４以降の処理は、図４で示したサーボ制御の処理と同様である。すなわち、制御部１０は、誤差信号のゼロクロスを監視しており（図４参照）、ゼロクロスごとにサーボトリガーパルスｇ５１を生成する。サーボトリガーパルスｇ５１が発生している間に、レベル検出部１０４の検出により、検出信号が閾値Ｔｈ１（図６参照）を下回った場合(ステップ１０４のＹＥＳ)、サーボループオン信号ｇ６２を発生する(ステップ１０５)。これにより、スイッチ１０９がＯＮとされ、サーボバイアスが印加された状態の誤差信号が、駆動部３０に入力される。
【０１２０】
その後、制御部１０は、所定時間（例えば１ｓ）を待ち時間とし、それが経過すると(ステップ１０６)、サーボ定常状態に移行する。図６では、サーボ引き込みおよびサーボ定常状態の間におけるミラー位置を、参照符号ｇ１８で示すように太線で表している。
【０１２１】
以上のように本実施形態では、光検出器４１で得られる検出信号の最適値がサーチされ、その適切値に対応するサーチ信号のバイアス（バイアス最適値）を駆動部３０に入力した状態で、サーボ制御が実行される。具体的には、バイアス最適値が駆動部３０に入力された状態であれば、ミラー位置が最適点あるいはその近傍にあるため、その最適点からサーボ引き込みを開始することができる。したがって、図４で説明したような、検出信号（反射光Ｌ３のレベル）が最小となるモードと、サーボ定常状態での反射光Ｌ３のレベルとの「乖離」をできるだけ小さくすることができる。これにより、できるだけ高い強度を有するレーザー光を出力することができる共振器長の調整を確実に行うことができる。
【０１２２】
また、サーチ信号の振幅および周期に比べ、サーボ信号の振幅および周期が十分に小さい。これにより、サーボ引き込み時間をこれまでよりも短くすることができ、迅速なサーボ制御を行うことができる。
【０１２３】
また、本実施形態では、バイアス最適値が重畳された状態で、サーボ制御が実行されるため、サーボ制御に要するゲインを小さく見積もることができ、回路設計が容易になる。特に、本技術では、上記したように、異なる複数種類の非線形光学素子が選択的に切り替えて用いられる場合がある。それら非線形光学素子ごとに、共振器部の共振条件が変わる、すなわちここでは適切値あるいは最適値が変わる。したがって、本技術によりバイアス適切値あるいはバイアス最適値が決定されることにより、非線形光学素子ごとに高いＤＣゲインを使用する、という問題がなくなる。
【０１２４】
４．他の実施形態に係る制御装置
【０１２５】
図１１は、本技術の他の実施形態に係る、制御装置の処理を示すフローチャートである。この処理は、本実施形態では、サーボ定常状態で、レーザー光発生装置に外乱、例えば衝撃が加えられた場合の処理である。ステップ１０１〜１０６は、図７で示したステップ１０１〜１０６と同様である。
【０１２６】
サーボ定常状態において、レーザー光発生装置に衝撃が加えられた場合、制御部１０は、反射光Ｌ３のレベルである検出信号が閾値Ｔｈ２を超えたか否かを判定する(ステップ１０７)。閾値Ｔｈ２は、Ｔｈ１より大きい値に設定される。
【０１２７】
検出信号が閾値Ｔｈ２を超えた場合、サーボ制御部１０８は、スイッチ１０９をオフ（ｏｐｅｎ）とすることにより、サーボループを解除する(ステップ１０８)。制御部１０は、サーチ処理１０１で設定されたバイアス最適値を再設定し(ステップ１０９)、所定の待ち時間（例えば１０．５ｍｓ）を経て(ステップ１１０)、ステップ１０３に戻る。
【０１２８】
以上のように、本実施形態に係る制御装置は、サーボ定常状態では、バイアス最適値を既に取得しているので、外乱が加えられた場合の迅速な復帰処理を行うことができる。
【０１２９】
なお、サーチ処理中に、外乱が加えられた場合、制御部１０は、サーチ処理を最初からやり直せばよい。
【０１３０】
５．さらに別の種々の実施形態
【０１３１】
本技術は、以上説明した実施形態に限定されず、他の種々の実施形態を実現することができる。
【０１３２】
上記実施形態では、適切値として、検出信号の各ボトム値のうち最小値が用いられたが、必ずしも最小値に限られず、最小値付近のボトムであってもよい。
【０１３３】
近年では、生物の細胞や特定のたんぱく質を可視化し、その局在や挙動までも観察可能な蛍光イメージングが細胞生物学・分子生物学の分野で活用されている。さらに生体の窓と呼ばれる650-1000nmの波長領域において深部まで観察できる短パルスの励起光源を用いて多光子励起した蛍光を取得する多光子顕微鏡が注目されている。本技術に係るレーザー光発生装置は、これらのような生体の観察装置として応用可能である。
【０１３４】
なお、本技術は以下のような構成もとることができる。
（１）
パルスレーザー光を発生する光源部と、
前記パルスレーザー光を共振させる共振器部と、
前記共振器部の共振器長を変位させる駆動部と、
前記共振器部からの反射光を検出する検出器とを備えるレーザー光発生装置の制御装置であって、
前記検出器による検出信号に基づき、前記共振条件からの前記共振器長の誤差を示す誤差信号を生成するように構成された誤差信号生成部と、
サーチ信号を生成してこれを前記駆動部に入力することで、前記共振器部による共振条件を満たす、前記検出信号の適切値をサーチするように構成され、前記適切値に対応する前記サーチ信号のバイアス値を駆動部に入力した状態で、前記誤差信号に基づき、サーボ制御を実行するように構成された制御部と
を具備する制御装置。
（２）
前記（１）に記載の制御装置であって、
前記制御部は、前記サーチ信号の振幅より小さい振幅を有するサーボ信号を生成してこれを前記駆動部に入力することで、前記サーボ制御を実行するように構成される
制御装置。
（３）
前記（１）または（２）に記載の制御装置であって、
前記制御部は、前記検出信号が閾値を超えたと判定した場合、前記サーボ制御を解除するように構成され、その解除後、前記適切値に対応する前記バイアス値を前記駆動部に入力して前記サーボ制御を実行するように構成される
制御装置。
（４）
前記（１）から（３）のうちいずれか１項に記載の制御装置であって、
前記光源部は、第１共振器を有し、
前記共振器部は、前記第１共振器から出力された前記パルスレーザー光が入力される第２共振器と、前記パルスレーザー光の波長を変換可能な非線形光学素子とを有し、前記波長変換されて前記第２共振器から出力される光を出力光として出力する
制御装置。
（５）
パルスレーザー光を発生する光源部と、
前記パルスレーザー光を共振させる共振器部と、
前記共振器部の共振器長を変位させる駆動部と、
前記共振器部からの反射光を検出する検出器と、
前記検出器による検出信号に基づき、前記共振条件からの前記共振器長の誤差を示す誤差信号を生成するように構成された誤差信号生成部と、
サーチ信号を生成してこれを前記駆動部に入力することで、前記共振器部による共振条件を満たす、前記検出信号の適切値をサーチするように構成され、前記適切値に対応する前記サーチ信号のバイアス値を駆動部に入力した状態で、前記誤差信号に基づき、サーボ制御を実行するように構成された制御部と
を具備するレーザー光発生装置。
（６）
パルスレーザー光を発生する光源部と、
前記パルスレーザー光を共振させる共振器部と、
前記共振器部の共振器長を変位させる駆動部と、
前記共振器部からの反射光を検出する検出器とを備えるレーザー光発生装置の制御方法であって、
前記検出器による検出信号に基づき、前記共振条件からの前記共振器長の誤差を示す誤差信号を生成し、
サーチ信号を生成してこれを前記駆動部に入力することで、前記共振器部による共振条件を満たす、前記検出信号の適切値をサーチし、
前記適切値に対応する前記サーチ信号のバイアス値を駆動部に入力した状態で、前記誤差信号に基づき、サーボ制御を実行する
制御方法。
【符号の説明】
【０１３５】
Ｌ１…励起レーザー光（パルスレーザー光）
Ｌ２…ＯＰＯレーザー光
Ｌ３…反射光
１…レーザー光発生装置
１０…制御部
２０…共振器部
３０…駆動部
４１…光検出器
５０…光源部
５６…ＭＩＬＬ部
１０１…誤差信号生成部
１０２…信号発生源
１０４…レベル検出部
１０８…サーボ制御部
１１０…サーチバイアス重畳部
１２０…サーボバイアス重畳部
２１３…非線形光学素子
５６２…ＬＤ
５６４…回折格子
【図４】
2016184651.tif 000003
【図５】
2016184651.tif 000004
【図６】
2016184651.tif 000005
【図７】
2016184651.tif 000006
【図８】
2016184651.tif 000007
【図９】
2016184651.tif 000008
【図１０】
2016184651.tif 000009
【図１１】
2016184651.tif 000010
【図１】
2016184651.tif 000011
【図２】
2016184651.tif 000012
【図３】
2016184651.tif 000013